(57)【要約】【課題】画像処理装置の一部の動作を制限する省電力モードでもシステム設定の変更履歴の出力が可能な画像処理装置を提供すること。【解決手段】画像処理装置１０は、画像処理装置１０のシステム設定を変更する設定変更部５１と、画像処理装置１０のユーザーごとに対応する履歴記憶領域８２１、８２２を含む履歴記憶部８２と、設定変更部５１によるシステム設定の変更履歴に関する履歴情報をユーザーごとに予め設定された記憶条件に従って履歴記憶領域８２１、８２２各々に記憶させる記憶制御部５２と、画像処理装置１０の動作モードが通常動作モードである場合に画像処理装置１０を制御し、省電力モードである場合に動作が停止するメイン制御部５と、画像処理装置１０の動作モードが省電力モードである場合に履歴情報の出力要求に応じて出力要求時のユーザーに対応する履歴記憶部８２の履歴情報を出力可能な通信制御部８１と、を備える。【選択図】図２
2015050745.tif 000002
【特許請求の範囲】
【請求項１】
画像処理装置に関するシステム設定を変更する設定変更部と、
前記画像処理装置のユーザーごとに対応する履歴記憶領域を含む履歴記憶部と、
前記設定変更部による前記システム設定の変更履歴に関する履歴情報を前記ユーザーごとに予め設定された記憶条件に従って前記履歴記憶領域各々に記憶させる記憶制御部と、
前記画像処理装置の動作モードが通常動作モードである場合に前記画像処理装置を制御し、前記通常動作モードより消費電力が低い省電力モードである場合に動作が停止する第１制御部と、
前記画像処理装置の動作モードが前記省電力モードである場合に前記履歴情報の出力要求に応じて前記出力要求時の前記ユーザーに対応する前記履歴記憶部の前記履歴情報を出力可能な第２制御部と、
を備える画像処理装置。
【請求項２】
前記記憶条件として、前記システム設定に含まれる各種の項目のうち前記履歴情報に記憶する対象項目が定められている請求項１に記載の画像処理装置。
【請求項３】
前記記憶条件として、前記履歴情報の蓄積回数が定められている請求項１又は２に記載の画像処理装置。
【請求項４】
任意の操作入力に応じて前記記憶条件を設定する条件設定部を更に備える請求項１〜３のいずれかに記載の画像処理装置。
【請求項５】
前記第２制御部が、前記画像処理装置にネットワークを介して接続された情報処理装置からの出力要求に応じて前記履歴情報を前記情報処理装置に出力する請求項１〜４のいずれかに記載の画像処理装置。
【請求項６】
画像データに基づいて画像を形成する画像形成部、及び原稿から画像データを読み取る画像読取部のいずれか一方又は両方を備える請求項１〜５のいずれかに記載の画像処理装置。
【発明の詳細な説明】
【技術分野】
【０００１】
本発明は、画像形成処理又は画像読取処理を実行する画像処理装置に関する。
【背景技術】
【０００２】
一般に、ファクシミリー装置のような画像処理装置では、過去の通信履歴を必要に応じて通信管理レポートとして印刷することが可能である（例えば特許文献１参照）。また、画像処理装置において、ホスト名、ＤＨＣＰ、ＩＰアドレス、又はＳＳＬ（Ｓｅｃｕｒｅ  Ｓｏｃｋｅｔｓ  Ｌａｙｅｒ）のような各種のシステム設定が変更された場合に、その設定の変更履歴が記憶されることも考えられる。
【先行技術文献】
【特許文献】
【０００３】
【特許文献１】特開平０９−１３９７８６号公報
【発明の概要】
【発明が解決しようとする課題】
【０００４】
ところで、画像処理装置は、画像処理装置の一部の動作を制限することにより省電力化を図る省電力モードと称される動作モードを有することがある。そして、この種の画像処理装置において、システム設定の変更履歴の管理を行うメイン制御部の動作が省電力モード時に停止すると、省電力モードを解除しなければシステム設定の変更履歴を出力することができない。
【０００５】
本発明の目的は、画像処理装置の一部の動作を制限する省電力モードでもシステム設定の変更履歴の出力が可能な画像処理装置を提供することにある。
【課題を解決するための手段】
【０００６】
本発明の一の局面に係る画像処理装置は、設定変更部と、履歴記憶部と、記憶制御部と、第１制御部と、第２制御部と、を備える。前記設定変更部は、画像処理装置に関するシステム設定を変更する。前記履歴記憶部は、前記画像処理装置のユーザーごとに対応する履歴記憶領域を含む。前記記憶制御部は、前記設定変更部による前記システム設定の変更履歴に関する履歴情報を前記ユーザーごとに予め設定された記憶条件に従って前記履歴記憶領域各々に記憶させる。前記第１制御部は、前記画像処理装置の動作モードが通常動作モードである場合に前記画像処理装置を制御し、前記通常動作モードより消費電力が低い省電力モードである場合に動作が停止する。前記第２制御部は、前記画像処理装置の動作モードが前記省電力モードである場合に前記履歴情報の出力要求に応じて前記出力要求時の前記ユーザーに対応する前記履歴記憶部の前記履歴情報を出力可能である。
【発明の効果】
【０００７】
本発明によれば、画像処理装置の一部の動作を制限する省電力モードでもシステム設定の変更履歴の出力が可能な画像処理装置が実現される。
【図面の簡単な説明】
【０００８】
【図１】本発明の実施の形態に係る画像処理装置の概略構成を示す模式図。
【図２】本発明の実施の形態に係る画像処理装置のシステム構成を示すブロック図。
【図３】本発明の実施の形態に係る画像処理装置で記憶される履歴情報の一例を示す図。
【図４】本発明の実施の形態に係る画像処理装置で実行される記憶制御処理の手順の一例を示すフローチャート。
【図５】本発明の実施の形態に係る画像処理装置で実行される履歴出力処理の手順の一例を示すフローチャート。
【発明を実施するための形態】
【０００９】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１０】
＜画像処理装置１０の概略構成＞
まず、図１及び図２を参照しつつ、本発明の実施の形態に係る画像処理装置１０の概略構成について説明する。
【００１１】
図１及び図２に示すように、前記画像処理装置１０は、ＡＤＦ１、画像読取部２、画像形成部３、給紙部４、メイン制御部５、操作表示部６、記憶部７、及び通信Ｉ／Ｆ８などを備える複合機である。なお、本発明に係る画像処理装置の他の例には、プリンター、コピー機、スキャナー、及びファクシミリーなどの画像形成装置又は画像読取装置が含まれる。
【００１２】
前記ＡＤＦ１は、搬送ローラー１２各々を駆動させることにより、原稿載置部１１にセットされた原稿を前記画像読取部２による画像読取位置を通過させて排紙トレイ１３まで搬送させる原稿自動送り装置である。
【００１３】
前記画像読取部２は、原稿台２１、光源ユニット２２、ミラー２３、２４、光学レンズ２５、及びＣＣＤ（Charge Coupled Device）２６などを備える。そして、前記画像読取部２は、前記原稿台２１に載置された原稿から画像データを読み取る。具体的に、前記読取ユニット２２は、ＬＥＤ光源２２１及びミラー２２２を備え、不図示のモーターによって副走査方向２Ａに移動可能である。前記ＬＥＤ光源２２１は、前記副走査方向２Ａに垂直な主走査方向に沿って配列された多数の白色ＬＥＤを備える。前記ミラー２２２は、前記ＬＥＤ光源２２１から照射されて前記原稿台２１上の読取位置にある前記原稿の表面で反射した後の光を前記ミラー２３に向けて反射させる。そして、前記ミラー２２２で反射した光は、前記ミラー２３、２４によって前記光学レンズ２５に導かれる。前記光学レンズ２５は、入射した光を集光して前記ＣＣＤ２６に入射させる。前記ＣＣＤ２６は、前記光学レンズ２５から入射される光の受光量に応じた電気信号を前記原稿の画像データとして前記メイン制御部５に入力する光電変換素子などを有する。
【００１４】
前記画像形成部３は、前記画像読取部２で読み取られた画像データ、又は外部の情報処理装置から入力された画像データに基づいて画像形成処理（印刷処理）を実行する電子写真方式の画像形成部である。具体的に、前記画像形成部３は、搬送部３０、感光体ドラム３１、帯電装置３２、露光装置（ＬＳＵ）３３、現像装置３４、転写ローラー３５、クリーニング装置３６、定着ローラー３７、加圧ローラー３８、及び排紙トレイ３９などを備える。
【００１５】
前記給紙部４は、前記画像処理装置１０に対して着脱可能な給紙カセット４１に収容された紙などのシートを前記画像形成部３に供給する。そして、前記画像形成部３に供給されたシートは、前記搬送部３０により前記感光体ドラム３１及び前記転写ローラー３５を経て前記定着ローラー３７及び前記加圧ローラー３８を通過した後、排紙トレイ３９に排出される。このとき、前記画像形成部３では、前記給紙部４から供給されて前記搬送部３０により搬送されるシートに画像を形成する画像形成処理が以下の手順で実行される。
【００１６】
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によって磁性トナーにより現像（可視像化）される。なお、前記現像装置３４には、前記画像形成部３に着脱可能なトナーコンテナ３４Ａから磁性トナーが補給される。続いて、前記感光体ドラム３１に形成されたトナー像は前記転写ローラー３５によってシートに転写される。その後、シートに転写されたトナー像は、そのシートが前記定着ローラー３７及び前記加圧ローラー３８の間を通過する際に前記定着ローラー３７で加熱されて溶融定着する。なお、前記画像形成部３による前記画像形成処理後に前記感光体ドラム３１の表面に残存する前記磁性トナーは前記クリーニング装置３６によって除去される。
【００１７】
前記メイン制御部５は、ＣＰＵ、ＲＯＭ、及びＲＡＭなどの制御機器を有する第１制御部の一例である。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、各種の情報を記憶する揮発性の記憶部であり、前記ＣＰＵが実行する各種の処理の一時記憶メモリー（作業領域）として使用される。
【００１８】
そして、前記メイン制御部５は、前記ＲＯＭに予め記憶された各種の制御プログラムを前記ＣＰＵで実行することにより前記画像処理装置１０を統括的に制御する。例えば、前記メイン制御部５は、前記画像読取部２を用いて画像データを読み取る画像読取処理、及び前記画像形成部３を用いてシートに画像を形成する画像形成処理などを実行する。なお、前記メイン制御部５は、集積回路（ＡＳＩＣ）などの電子回路で構成されたものであってもよい。
【００１９】
前記操作表示部６は、前記画像処理装置１０の外面に設けられている。前記操作表示部６は、前記メイン制御部５からの制御指示に応じて各種の情報を表示する液晶ディスプレイなどの表示部を有する。また、前記操作表示部６は、ユーザー操作に応じて前記メイン制御部５に各種の情報を入力するハードキー又はタッチパネルなどの操作部を有する。
【００２０】
前記記憶部７は、各種の情報を記憶するＥＥＰＲＯＭ、ハードディスク、又はＳＳＤなどの記憶部である。前記メイン制御部５は、前記記憶部７への情報の記憶及び前記記憶部７からの情報の読み出しが可能である。具体的に、前記記憶部７は、前記画像処理装置１０のシステム設定に関する設定情報が記憶される記憶領域である設定記憶部７１を含む。前記システム設定には、例えば前記画像処理装置１０の通信設定として、ホスト名、ＤＨＣＰ、ＩＰアドレス、又はＳＳＬなどの項目が含まれる。もちろん、前記システム設定に含まれる項目はこれらに限らない。
【００２１】
前記通信Ｉ／Ｆ８は、前記画像処理装置１０を有線又は無線でインターネット又はＬＡＮ等のネットワーク１００に接続し、前記ネットワーク１００を介してＰＣ（パーソナルコンピューター）又は携帯端末などの情報処理装置との間でデータ通信を実行する通信インターフェースである。具体的には、図２に示すように、前記ネットワーク１００を介して複数のＰＣ２０が前記画像処理装置１０に接続される。また、前記通信Ｉ／Ｆ８は、前記ネットワーク１００を介して接続された前記ＰＣ２０などの情報処理装置との間で通信処理を実行する通信制御部８１、及び前記画像処理装置１０の前記システム設定の変更履歴に関する履歴情報が記憶される履歴記憶部８２を備える。前記履歴情報には、前記システム設定の変更内容と共に、変更日時及び変更作業者などの情報が含まれる。
【００２２】
前記通信制御部８１は、前記メイン制御部５とは別に設けられた第２制御部の一例である。前記通信制御部８１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、各種の情報を記憶する揮発性の記憶部であり、前記ＣＰＵが実行する各種の処理の一時記憶メモリー（作業領域）として使用される。なお、前記通信制御部８１は、集積回路（ＡＳＩＣ）などの電子回路で構成されたものであってもよい。
【００２３】
前記履歴記憶部８２は、前記画像処理装置１０に予め登録されたユーザーごとに個別に対応する履歴記憶領域を含むＥＥＰＲＯＭ又はフラッシュメモリーのような記録媒体である。本実施形態では、前記画像処理装置１０に予め登録されたユーザーＵ１、Ｕ２ごとに対応する履歴記憶領域８２１、８２２が前記履歴記憶部８２に確保されている場合を例に挙げて説明する。なお、前記制御部５は、前記画像処理装置１０にユーザーが登録され、前記ユーザーについて前記履歴情報の記憶設定が有効に設定された場合に、前記ユーザーに対応する履歴記憶領域を前記履歴記憶部８２に確保する。
【００２４】
そして、前記画像処理装置１０において、前記メイン制御部５は、設定変更部５１、記憶制御部５２、及び条件設定部５３を含む。前記メイン制御部５は、前記ＣＰＵにより前記制御プログラムに従った各種の処理を実行することにより、前記設定変更部５１、前記記憶制御部５２、及び前記条件設定部５３として機能する。なお、前記メイン制御部５が電子回路である場合、前記設定変更部５１、前記記憶制御部５２、及び前記条件設定部５３は、それぞれの機能を実現する回路モジュールである。
【００２５】
前記設定変更部５１は、前記画像処理装置１０に関するシステム設定を変更するための操作入力に応じて、前記設定記憶部７１に記憶されている前記設定情報を変更する。具体的に、前記設定変更部５１は、ユーザーによる前記操作表示部６又は前記ＰＣ２０に対する変更操作に応じて前記設定情報を変更する。
【００２６】
前記記憶制御部５２は、前記設定変更部５１による前記システム設定の変更履歴に関する履歴情報を前記画像処理装置１０のユーザーごとに予め設定された記憶条件に従って前記履歴記憶部８２各々に記憶させる。前記記憶条件では、例えば前記画像処理装置１０のシステム設定に含まれる各種の項目のうち前記履歴情報に記憶する対象項目が定められている。即ち、前記記憶制御部５２によって前記履歴記憶部８２に記憶される前記履歴情報の内容がユーザーごとに異なる場合もある。また、前記記憶条件として、前記履歴情報の蓄積回数が定められていることも考えられる。これにより、前記記憶制御部５２によって前記履歴記憶部８２に記憶される前記履歴情報の蓄積回数がユーザーごとに異なる場合もある。
【００２７】
前記条件設定部５３は、ユーザーの任意による前記操作表示部６への操作入力又は前記ＰＣ２０への操作入力に応じて前記記憶条件を設定する。例えば、前記条件設定部５３は、ユーザーの操作入力に応じて前記記憶条件に含まれる前記対象項目及び前記蓄積回数などの設定内容を変更する。なお、前記記憶条件の変更は、前記記憶条件に対応する前記ユーザーがログインしている場合、又はログインしているユーザーが予め定められた管理者である場合に可能である。例えば、前記ユーザーのログイン及びログアウトは、前記ＰＣ２０に対するユーザーＩＤ及びパスワードの入力などに応じて実行される。
【００２８】
［記憶条件及び履歴情報の一例］
ここで、図３を参照しつつ、前記記憶条件及び前記履歴情報の一例について説明する。具体的に、前記ユーザーＵ１に対応する前記記憶条件として、前記システム設定に含まれる各種の項目のうち「項目１」〜「項目５」が対象項目として設定され、前記システム設定の変更履歴の蓄積回数が「５回」である旨が設定されている場合を考える。ここに、図３（Ａ）は、前記ユーザーＵ１に対応する前記履歴記憶領域８２１に記憶された履歴情報Ｄ１の一例を示す図である。図３（Ａ）に示すように前記履歴情報Ｄ１には、前記システム設定に含まれる「項目１」〜「項目５」の内容の変更履歴として過去５回の「履歴１」〜「履歴５」の情報が含まれている。ここで、「履歴１」〜「履歴５」は、「項目１」〜「項目５」のいずれかに変更が生じた場合の前記設定情報を示しており、他の項目が変更された場合の前記設定情報を含まない。なお、前記履歴記憶領域８２１では、前記蓄積回数である「５回」よりも前の情報は消去又は上書き保存される。図３（Ａ）に示す例では、「履歴１」が最新の前記設定情報、「履歴２」が一つ前の前記設定情報、「履歴３」が二つ前の前記設定情報、「履歴４」が三つ前の前記設定情報、「履歴５」が四つ前の前記設定情報である。
【００２９】
一方、前記ユーザーＵ２に対応する前記記憶条件として、前記システム設定に含まれる各種の項目のうち「項目１」、「項目２」、及び「項目５」が対象項目として設定され、前記システム設定の変更履歴の蓄積回数が「３回」である旨が設定されている場合を考える。ここに、図３（Ｂ）は、前記ユーザーＵ２に対応する前記履歴記憶領域８２２に記憶された履歴情報Ｄ２の一例を示す図である。図３（Ｂ）に示すように前記履歴情報Ｄ２には、前記システム設定に含まれる「項目１」、「項目２」、及び「項目５」の内容の変更履歴として過去３回の「履歴１」〜「履歴３」の情報が含まれている。ここで、「履歴１」〜「履歴３」は、「項目１」、「項目２」、又は「項目５」のいずれかに変更が生じた場合の前記設定情報を示しており、他の項目が変更された場合の前記設定情報を含まない。なお、前記履歴記憶領域８２２では、前記蓄積回数である「３回」よりも前の情報は消去又は上書き保存される。図３（Ｂ）に示す例では、「履歴１」が最新の前記設定情報、「履歴２」が一つ前の前記設定情報、「履歴３」が二つ前の前記設定情報である。
【００３０】
このように、前記画像処理装置１０の各ユーザーは、自己に対応する前記記憶条件を任意に設定しておくことにより、前記履歴情報として記憶される情報を任意に限定することができる。従って、前記システム設定に含まれる所望の項目のみについての前記履歴情報を残すことができる。即ち、あるユーザーに対応する前記履歴記憶領域では、そのユーザーにとって不要な項目の変更により本来必要な項目の変更履歴が消去されない。そのため、前記画像処理装置１０の各ユーザーは、自己の所望の項目が変更されたときの変更履歴だけを前記履歴情報によって確認することができる。
【００３１】
［省電力モード］
ところで、前記画像処理装置１０は、前記画像処理装置１０の一部の動作を制限することにより通常動作モードよりも省電力化を図る省電力モードと称される動作モードを有する。そして、前記メイン制御部５は、前記画像処理装置１０の動作モードが前記通常動作モードである場合には前記画像処理装置１０を制御するが、前記画像処理装置１０の動作モードが前記省電力モードである場合は動作が停止する。例えば、前記画像処理装置１０では、前記メイン制御部５は、予め設定された待機時間が経過した場合に動作モードを通常動作モードから前記省電力モードに切り換える。これにより、例えば前記画像処理装置１０の電源装置（不図示）から前記メイン制御部５への電源供給が遮断されて前記メイン制御部５の動作が停止する。
【００３２】
そして、前記操作表示部６の操作又は前記通信制御部８１による信号受信が行われた場合に、前記操作表示部６又は前記通信制御部８１によって前記電源装置（不図示）から前記メイン制御部５への電源供給が再開される。これにより、前記メイン制御部５は動作を開始して前記画像処理装置１０の動作モードを前記省電力モードから前記通常動作モードに移行させる。なお、前記省電力モードでは、前記メイン制御部５の他、前記画像処理装置１０に設けられた前記画像読取部２及び前記画像形成部３などの一部の構成要素への電力供給も制限される。例えば、前記画像形成部３の前記定着ローラー３７の定着温度が抑制され、又は前記定着ローラー３７の加熱が停止される。また、前記省電力モードは、他にスタンバイモード又は省エネモード等と称されることもある。
【００３３】
一方、前記省電力モードでも、前記通信網１００を介して前記ＰＣ２０などから送信される信号を受信するため、前記通信Ｉ／Ｆ８の前記通信制御部８１には電力が供給されており、前記通信制御部８１は前記省電力モードにおいて動作可能である。なお、前記通信制御部８１は、ファクシミリー受信を待ち受ける場合もある。ここで、前記画像処理装置１０において、前記履歴情報の出力を制御する主体が前記メイン制御部５であれば、前記省電力モード時に前記メイン制御部５の動作が停止するため、前記省電力モードを解除しなければ前記履歴情報を出力することができない。これに対し、前記画像処理装置１０では、前記メイン制御部５によって後述の履歴記憶処理（図４参照）が実行され、前記通信制御部８１によって後述の履歴出力処理（図５参照）が実行される。これにより、前記画像処理装置１０では、前記省電力モード時にも動作可能な前記通信制御部８１により前記履歴記憶部８２の前記履歴情報が出力可能である。
【００３４】
［履歴記憶処理］
以下、図４を参照しつつ、前記メイン制御部５によって実行される前記履歴記憶処理の手順の一例について説明する。
【００３５】
＜ステップＳ１＞
ステップＳ１において、前記設定変更部５１は、前記システム設定の変更操作が行われたか否かを判断する。ここで、前記設定変更部５１は、前記システム設定の変更操作が行われたと判断すると（Ｓ１のＹｅｓ側）、処理をステップＳ２に移行させる。また、前記設定変更部５１は、前記システム設定の変更操作が行われていないと判断すると（Ｓ１のＮｏ側）、処理をステップＳ１１に移行させる。
【００３６】
＜ステップＳ２＞
ステップＳ２において、前記設定変更部５１は、前記システム設定の変更操作に応じて、前記設定記憶部７１に記憶されている前記設定情報を更新することにより、前記システム設定を変更する。
【００３７】
＜ステップＳ３＞
ステップＳ３において、前記記憶制御部５２は、前記ステップＳ２における変更後の前記設定情報を最新の前記履歴情報として前記履歴記憶部８２に記憶させる。これにより、前記履歴記憶部８２の前記履歴情報に、前記設定情報の変更履歴が蓄積されることになる。このとき、前記記憶制御部５２は、前記記憶条件に従って、前記履歴情報を前記履歴記憶部８２の前記履歴記憶領域各々に記憶させる。
【００３８】
具体的に、前記記憶制御部５２は、前記システム設定の各種の項目のうち前記ステップＳ１で変更操作が行われたと判断された項目が、前記記憶条件で前記対象項目として設定されているユーザーに対応する前記履歴記憶領域各々に前記履歴情報を記憶させる。即ち、前記システム設定の各種の項目のうち前記ステップＳ１で変更操作が行われたと判断された項目が、前記記憶条件で前記対象項目として設定されていないユーザーに対応する前記履歴記憶領域には、前記履歴情報が記憶されない。また、前記記憶制御部５２は、前記履歴記憶領域各々に記憶されている前記履歴情報の数が前記記憶条件として設定された前記蓄積回数となるように、古い前記履歴情報から順に消去又は上書き保存する。なお、前記ステップＳ３に代えて、又は前記ステップＳ３と共に、前記ステップＳ２の前段で、変更前の前記設定情報が前記履歴情報として記憶される処理が実行されてもよい。
【００３９】
＜ステップＳ１１＞
一方、ステップＳ１１において、前記条件設定部５３は、前記記憶条件の設定開始操作が行われたか否かを判断する。ここで、前記条件設定部５３は、前記記憶条件の設定開始操作が行われたと判断すると（Ｓ１１のＹｅｓ側）、処理をステップＳ１２に移行させる。また、前記条件設定部５３は、前記記憶条件の設定開始操作が行われていないと判断すると（Ｓ１１のＮｏ側）、処理を前記ステップＳ１に戻す。
【００４０】
＜ステップＳ１２＞
ステップＳ１２において、前記条件設定部５３は、前記操作表示部６に対するユーザー操作又は前記ＰＣ２０から送信される設定情報に基づいて、前記記憶条件に含まれる前記対象項目を設定する。例えば、前述の例では、図３（Ａ）に示すように、前記ユーザーＵ１に対応する前記記憶条件では、「項目１」〜「項目５」が前記対象項目として設定されている。また、図３（Ｂ）に示すように、前記ユーザーＵ２に対応する前記記憶条件では、「項目１」、「項目２」、及び「項目３」が前記対象項目として設定されている。
【００４１】
＜ステップＳ１３＞
また、ステップＳ１３において、前記条件設定部５３は、前記操作表示部６に対するユーザー操作又は前記ＰＣ２０から送信される設定情報に基づいて、前記記憶条件に含まれる前記蓄積回数を設定する。例えば、前述の例では、図３（Ａ）に示すように、前記ユーザーＵ１に対応する前記記憶条件では、前記蓄積回数が「５回」に設定されている。また、図３（Ｂ）に示すように、前記ユーザーＵ２に対応する前記記憶条件では、前記蓄積回数が「３回」に設定されている。
【００４２】
［履歴出力処理］
そして、前記画像処理装置１０では、前記通信Ｉ／Ｆ８の前記通信制御部８１により、前記履歴記憶部８２に記憶された履歴情報を出力する履歴出力処理が実行される。前記履歴出力処理は、前記通信制御部８１によって前記省電力モードにおいても実行される。ここで、図５を参照しつつ、前記履歴出力処理の手順の一例について説明する。
【００４３】
＜ステップＳ２１＞
ステップＳ２１において、前記通信制御部８１は、前記画像処理装置１０に前記ネットワークを介して接続された前記ＰＣ２０などの情報処理装置からの出力要求の受信を待ち受ける（Ｓ２１のＮｏ側）。ここで、前記出力要求を受信したと判断すると（Ｓ２１のＹｅｓ側）、処理をステップＳ２２に移行させる。また、前記省電力モードにおいて、前記操作表示部６が動作可能な構成では、前記通信制御部８１が前記操作表示部６に対する出力要求の操作を待ち受けることも考えられる。
【００４４】
＜ステップＳ２２＞
ステップＳ２２において、前記通信制御部８１は、前記出力要求を送信したユーザーに対応する前記履歴記憶部８２の前記履歴記憶領域に記憶されている前記履歴情報を前記出力要求の送信元の前記情報処理装置に出力する。これにより、前記情報処理装置では、ユーザーが自己に対応する前記履歴情報を参照することが可能である。例えば、前記ユーザーＵ１が前記履歴情報の出力要求を送信した場合には、前記ユーザーＵ１に対応する前記履歴記憶領域８２１に記憶された前記履歴情報Ｄ１が前記ユーザーＵ１が使用する前記ＰＣ２０などの情報処理装置に出力される。また、前記通信制御部８１は、前記操作表示部６に対するユーザー操作により、前記画像処理装置１０へのログインが行われた後、前記出力要求の操作が行われた場合に、ログイン中のユーザーに対応する前記履歴情報が前記操作表示部６に表示されることも考えられる。
【００４５】
なお、前記履歴情報を印刷する旨の出力要求が行われた場合には、前記通信制御部８１が、前記省電力モードを解除して前記メイン制御部５及び前記画像形成部３などを作動させ、前記画像形成部３によって前記履歴情報を印刷させることも考えられる。これにより、前記画像処理装置１０では、前記省電力モードは解除されるが、ユーザーは予め設定した所望の対象項目だけを含む前記履歴情報を印刷物として得ることが可能である。
【００４６】
以上説明したように、前記画像処理装置１０では、前記履歴情報が前記履歴記憶部８２の前記画像処理装置１０のユーザーごとに対応する前記履歴記憶領域に記憶される。そして、前記履歴出力処理では、前記履歴情報の出力要求に応じて前記履歴記憶領域から前記履歴情報を出力するという簡単な処理だけが実行される。そのため、前記履歴出力処理を前記メイン制御部５でなく前記通信制御部８１に実行させることが可能である。従って、前記画像処理装置１０が前記省電力モードである場合にも、前記省電力モード時に動作可能な前記通信制御部８１によって前記履歴情報を出力することが可能である。
【００４７】
なお、本実施の形態では、前記通信Ｉ／Ｆ８の前記通信制御部８１が、前記省電力モードでも動作可能な第２制御部の一例である場合を例に挙げて説明した。一方、前記第１制御部は、前記通信制御部８１に限らず、例えば前記操作表示部６が前記省電力モードでも動作可能である場合には、前記操作表示部６が前記第２制御部として前記履歴出力処理を実行することも可能である。また、前記画像処理装置１０において、前記省電力モードへの移行及び前記省電力モードから通常動作モードへの復帰を制御する制御主体が他に設けられている場合には、その制御主体が前記第２制御部の一例であることが考えられる。
【００４８】
さらに、前記画像処理装置１０は、複数段階の前記省電力モードを有することが考えられる。この場合、前記履歴出力処理を実行する前記第２制御部は、前記省電力モードのうち最も機能が制限されている省電力モードでも動作可能な制御主体であることが望ましい。例えば、前記画像処理装置１０では、常にファクシミリー受信又は前記ＰＣ２０からの印刷要求などを受信するため、前記画像処理装置１０の機能が最も制限された前記省電力モードでも前記通信制御部８１が動作可能であることが考えられる。
【符号の説明】
【００４９】
１  ：ＡＤＦ
２  ：画像読取部
３  ：画像形成部
４  ：給紙部
５  ：制御部
５１：設定変更部
５２：記憶制御部
５３：条件設定部
６  ：操作表示部
７  ：記憶部
７１：設定記憶部
８  ：通信Ｉ／Ｆ
８１：通信制御部
８２：履歴記憶部
８２１、８２２：履歴記憶領域
１０：画像処理装置
２０：ＰＣ
１００：ネットワーク
【図１】
2015050745.tif 000003
【図２】
2015050745.tif 000004
【図３】
2015050745.tif 000005
【図４】
2015050745.tif 000006
【図５】
2015050745.tif 000007